(57)【要約】【課題】従来のシステムは、集団生活における各人の挙動情報をリアルタイムに遠隔地の保護者毎へ送信してその安否などを相互に確認する事は不可能です。【解決手段】別離状態の集団生活における各人の挙動情報に関連づけられた複数の送信用機器１３と該各送信用機器に関連づけられた複数の受信用機器１５と前記の各送信用機器１３に関連づけられたスイッチングハブ１４および／又はルータ１６並びに該ルータに関連づけたモデム１７を備えるインターネット手段１８から構成されたネットワーク送受信システム。【選択図】      図１
2004312644.tif 000002
【特許請求の範囲】
【請求項１】
別離状態の集団生活における各人の挙動情報に関連づけられた複数の送信用機器と該各送信用機器に関連づけられた複数の受信用機器とこれらの各送信用機器および各受信用機器が通信可能なインターネット手段で関連づけられているネットワークシステムであって、前記各人の挙動に関連づけた各種情報を出力信号として送信する複数の送信用機器と前記各送信用機器から必要な最適送信用機器の選択が可能な機能を備えるルータおよび該ルータに関連づけたモデムを備えるインターネット手段と該インターネット手段を介して前記送信用機器の出力信号を入力信号として受信する複数の受信用機器から構成されたネットワーク送受信システム。
【発明の詳細な説明】
【００１】
【発明の属する技術分野】本発明は、インターネット手段を利用した通信システムの活用技術に関する提案であって、特化されたインターネット手段の活用方法にも特徴がある提案です。
【００２】
【従来の技術】カメラ画像および音声などの情報を遠隔地へ送信し、そのリアクションを受信する構成のネットワークシステムに関する具体例は、医学界および教育界に散見されます。
【００３】
【発明が解決しようとする課題】しかし、係る従来のシステムは、１人の患者（単独情報源）に多数の医師が／又は１人の教授（単独情報源）に多数の学生が対象とされて関連づけられたネットワークシステムであり、即ち複数のカメラが配置されていたとしても、それは単独情報源を対象に関連づけられた前記同様のネットワークシステムであって、本提案の様な集団生活における各人の挙動情報をリアルタイムに遠隔地の保護者毎へ送信してその安否などを受信し確認する、ネットワーク送受信システムを構築することは不可能です。
【００４】
【課題を解決するための手段】請求項１記載の本発明は、別離状態の集団生活における各人の挙動情報に関連づけられた複数の送信用機器と該各送信用機器に関連づけられた複数の受信用機器とこれらの各送信用機器および各受信用機器が通信可能なインターネット手段で関連づけられているネットワークシステムであって、前記各人の挙動に関連づけた各種情報を出力信号として送信する複数の送信用機器と該送信用機器毎の送信機能を一層効率化させる為のスイッチングハブを必要に応じ備えおよび前記各送信用機器から必要な最適送信用機器の選択が可能な機能を備えるルータ並びに該ルータに関連づけたモデムを備えるインターネット手段と該インターネット手段を介して前記送信用機器の出力信号を入力信号として受信する複数の受信用機器から構成されたネットワーク送受信システム。
請求項２記載の本発明は、前記システムの送信用機器に受信可能な機能を備えると共に受信用機器に送信可能な機能を備える対面方式に構成された請求項１記載のネットワーク送受信システム。
請求項３記載の本発明は、別離状態の集団生活における各人毎の挙動に関する画像および音声情報が出力信号としてインターネット手段を介し送信され、遠隔地における各保護者が前記各人毎の画像および音声情報を入力信号として受信し、その安否などをリアルタイムに確認する請求項１記載のネットワーク送受信システムによる情報伝達方法。
請求項４記載の本発明は、別離状態の集団生活における各人毎の挙動に関する画像および音声情報が出力信号としてインターネット手段を介し送信され、遠隔地における各保護者が前記各人毎の画像および音声情報を入力信号として受信すると共に遠隔地における保護者毎の挙動に関する画像および音声情報が出力信号としてインターネット手段を介し送信され、別離状態の集団生活における各人が前記保護者毎の画像および音声情報を入力信号として受信し、互いの安否などを相互にリアルタイムに確認する請求項２記載のネットワーク送受信システムによる情報伝達方法。
【００５】
下記に上記各手段に関する説明を補足します。
（説明の１）送信用機器の構成は、カメラ機能およびマイク機能を備えると共にとり込んだ録画や録音を圧縮する機能を備え、更にＩＰアドレス、サブネット、ポート番号、ゲートウエイ、・・・を備えています。従って、画像（静止画、動画）と音声の送信が可能であり、イントラネット手段および／又はインターネット手段に関連づけた構成となります。
（説明の２）スイッチングハブの構成は、スイッチング機能を備えるハブであって、個々のポートに接続され（イーザーネットカードのＭＡＣアドレスを学習し）、通信に必要な最適ポートの選択が可能なトラフィック量の増大に伴うパケット同士の衝突を防止する事が可能となります。
（説明の３）ルータの構成は、多数の送信用機器から必要な最適送信用機器の選択が可能な機能を備えると共にグローバルアドレスおよび前記ＩＰアドレスの登録がなされています。従って、基本的にはＬＡＮを外部ネットワークと接続しようとした時などに設置されるハードです。
（説明の４）モデムの構成は、通信に用いられるデジタル信号とアナログ信号を相互に変換する変換機能を備えています。従って、電話回線を経由したコンピュータ同士の通信には必須のハードです。
（説明の５）ホームページの構成は、該ホームページの管理が可能なホームページサーバを備え、更にホームページアドレスおよび前記グローバルアドレス並びに前記ＩＰアドレスの登録がなされています。従って、イントラネット手段を介し／又はインターネット手段を介し、開いたホームページ上に表示されているアイコンなど（前記のカメラおよびマイク情報以外の情報も含む）をクリックするアクションにより、所望する各種情報の提供が得られます。
【００６】
【発明の実施の形態】児童（高齢者）などの集団生活における各人の挙動に関連づけた各種情報を出力信号となして遠隔地における各保護者へインターネット手段を介して送信し、遠隔地における各保護者が前記各種情報を入力信号となして受信し、その安否などをリアルタイムに確認する。更に、遠隔地における各保護者の挙動に関連づけた各種情報を出力信号となして児童（高齢者）などの集団生活における各人へインターネット手段を介して送信し、児童（高齢者）などの集団生活における各人が前記各種情報を入力信号となして受信し、前記児童（高齢者）毎と前記保護者毎の双方が互いに安否などをリアルタイムに確認し合えるネットワーク送受信システムに関する提案です。
【００７】
【実施例１】図１は、児童保育園における実施例であって、該児童保育園に設備されているネットワーク送受信システムの基本構成は、集団生活における部屋２１毎の挙動情報に関連づけられた複数の送信用機器２２と該各送信用機器２２に関連づけられたスイッチングハブ２３およびルータ２４並びにモデム２５を備えるインターネット手段２６と該インターネット手段２６に関連づけられた複数の受信用機器２７から構成されています。
【００８】
実施例の施設１０には廊下機能を兼ねた広場１１があり、該広場１１の周囲に部屋１２１、部屋１２２、部屋１２３、・・・部屋１２Ｎ、・・・が夫々配設されています。
【００９】
児童１９達の挙動情報は、送信用機器１３の出力信号となして送信されます。該送信用機器１３の配置は広場１１の両側部位にアとイの各１台および反対側中央部位にウの１台を加えた計３台、部屋１２１〜１２３毎にエとオとカの各１台の合計ア〜カの６台を配設してあります。これらの各送信用機器ア〜カは、スイッチングハブ１４に関連づけられていて送信用機器ア〜カ毎の送信機能を一層効率化させます。ルータ１６は、前記各送信用機器ア〜カから必要な最適送信用機器の選択が可能な機能を備えています。従って、該ルータ１６に関連づけて配設した保育士ＡＭの部屋ＡＦに備える（ホームページの管理が可能なホームページサーバを備えた）受信用機器１５は、広場１２および部屋１２１〜１２３毎に居る各児童１９の挙動情報を前記各送信用機器ア〜カの自由な選択によってリアルタイムな動画と音声で受信でき、部屋１２１〜１２３毎に確認することが出来ます。
【０１０】
【図４】に示すホームページのイメージ図を用いて更に詳述します。受信用機器１５（ディスプレイ）の表示には、アイコンが４個であり、部屋（１２１、１２２，１２３）毎のアイコンが３個およびマルチ用画面のアイコンが１個あります。従って、部屋１２１の挙動情報は該「部屋１２１」のアイコンをクリックするアクションにより／又はマルチ表示の挙動情報は該「マルチ」画面のアイコンをクリックするアクションにより得られます。
【０１１】
他方、遠隔地における保護者ＡＫ達が備える各受信用機器１５１，１５２，１５３・・・へ前記インターネット手段１８の通信機能を利用して広場１１および部屋１２１〜１２３毎に居る各児童の挙動情報（保育士ΛＭの部屋ΛＦに備える受信用機器１５同様の挙動情報）を各送信用機器ア〜カの適宜自由な選択によって送信し、前記各受信用機器１５１，１５２，１５３・・・によりその安否などのリアルタイムな情報が動画と音声で受信でき、保護者ＡＫ毎に確認することが出来ます。即ち、インターネット手段１８を利用して前記児童保育園のホームページアドレスへ接続し、ホームページ表示における「部屋１２」毎のアイコン／又は「マルチ」画面のアイコンをクリックするアクションにより得られます。
【０１２】
なお、この実施例システムは、前記の送信用機器１３に受信可能な機能を備えると共に受信用機器１５に送信可能な機能を備える双方向形式の対面方式に構成する事も可能です。即ち、保育士ＡＭの部屋ＡＦに備えた前記受信用機器１５に同様の送受信可能な機能を備える場合は、双方向形式での保育士ＡＭと児童１９毎の情報交換が可能な通信網を構築する事が出来ます。
【０１３】
更に、前記インターネット手段１７の通信機能を広範囲に利用する場合は、前記受信用機器１５と他の児童保育園との双方向形式での情報交換が可能になり、又さらに多数の児童保育園と相互にリンクを拡大させた場合には保育士ＡＭ同士の双方向形式での情報交換がグローバルに可能な通信網を構築する事が出来ます。
【０１４】
付言するに、前記システム構成となす事によって、遠隔地における保護者ＡＫ毎の挙動情報を受信用機器１９の送信機能からの出力信号となして送信し、他方の集団生活における児童１９達が送信用機器１３の受信機能によって前記保護者ＡＫ毎の挙動情報を受信し、その両者が互いに安否などを確認し合える情報交換が可能になります。この際に、保護者ΛＫが就業主婦であった場合には、モバイル端末機器（携帯電話など）を介してリアルタイムに児童１９との親子会話が出来ることから擬似的シキンシップをも得られます。
【０１５】
【実施例２】図２は、高齢者福祉施設における実施例であって、該施設に設備されているネットワーク送受信システムの基本構成は、集団生活における部屋２１毎の挙動情報に関連づけられた複数の送信用機器２２と該各送信用機器２２に関連づけられたスイッチングハブ２３およびルータ２４並びにモデム２５を備えるインターネット手段２６と該インターネット手段２６に関連づけられた複数の受信用機器２７から構成されています。なお、このシステムには前記の送信用機器２２に受信可能な機能を備えると共に受信用機器２７に送信可能な機能を備える双方向形式の対面方式に構成されています。
【０１６】
実施例の福祉施設２０には多数の部屋２１１、部屋２１２、部屋２１３、・・・が、ステージ２アの備えられたホール２イを取り囲む様に配設されています。そして、部屋２１毎の両壁側には、２台の送信用機器２２０，２２１が、管理室２Ｒには１台の受信用機器２７１が、夫々に配設さています。更に前記ステージ２アの長手方向四隅部位には４台の送信用機器２２２、２２３、２２４、２２５が、および楽屋２Ｓには１台の受信用機器２７２が配設され、また更に前記ホール２イ観客席部位の同様長手方向四隅部位には４台の送信用機器２２６、２２７、２２８、２２９が、並びに管理室２Ｒには１台の受信用機器２７２が配設さています。
【０１７】
従って、部屋２１毎における高齢者２９の挙動情報は、該部屋２１毎の送信用機器２２０、２２１の出力信号となして送信され、該送信情報を管理室２Ｒに備える受信用機器２７１が入力信号となして受信し、高齢者２９達のリアルタイムな動画と音声を確認することが出来ます。この際、受信用機器２７１側から何れかの部屋２１Ｎにおける何れかの送信用機器２２Ｎを選択し、該送信用機器２２Ｎが捉えている画像中の高齢者２９と個人的な打合せを両者間で行うことも出来ます。当然ながら、部屋２１Ｎに多数の高齢者２９達が同居している場合であっても、所望高齢者２９を呼び出すことで同様の個人的な打合せを両者間で行うことも出来ます。
【０１８】
ステージ２アにおける役者２８達の演技による挙動情報は、前記各送信用機器２２２、２２３、・・・の出力信号となして送信され、該送信情報を楽屋２Ｓに備える受信用機器２７１が入力信号となして受信し、役者２８達のリアルタイムな動画と音声を確認することが出来ます。この際、受信用機器２７１側から任意に何れかの送信用機器２２２、２２３、・・・を選択し、該送信用機器２２Ｎが捉えている画像中の役者２８を前記同様の呼び出し行為で個人的な打合せを両者間で行うことも出来ます。
【０１９】
ホール２イにおける観客２９（高齢者）達の挙動情報は、前記各送信用機器２２６、２２７、・・・の出力信号となして送信され、該送信情報を管理室２Ｒに備える受信用機器２７２が入力信号となして受信し、高齢者２９達のリアルタイムな動画と音声を確認することが出来ます。この際、受信用機器２７２側から任意に何れかの送信用機器２２６、２２７、・・・を選択し、該送信用機器２２Ｎが捉えている画像中の高齢者２９と個人的な打合せを両者間で行うことも出来ます。当然ながら、逆方向の送信用機器２２Ｎ側から受信用機器２７２を選択して個人的な打合せを両者間で行うことも出来ます。
【０２０】
他方、楽屋２Ｓに備える受信用機器２７１側が管理室２Ｒに備える受信用機器２７２を選択した場合であっても、逆方向の管理室２Ｒに備える受信用機器２７２側が楽屋２Ｓに備える受信用機器２７１を選択した場合であっても、同様の個人的な打合せを両者間で行うことも出来ます。
【０２１】
叙上の具体例は、該高齢者福祉施設内におけるイントラネット通信網によって実施されますが、更にインターネット手段２６の通信機能を広範囲に利用する場合には該高齢者福祉施設の管理室２Ｒに備える受信用機器２７２と他の高齢者福祉施設との双方向形式での情報交換が可能になり、又さらに多数の高齢者福祉施設と相互にリンクした場合には前記役者２８達の興行／或は高齢者による芸能発表会を双方向形式で情報提供し合う事も出来ます。
【０２２】
【実施例３】図３は、病院の病棟施設における実施例であって、該病棟施設に設備されているネットワーク送受信システムの基本構成は、説明を省きますが、実施例２と同様な構成になされています。
【０２３】
実施例の病棟施設３０には、多数の病室３１１、病室３１２、病室３１３、・・・が廊下３３を挟んで両側に配設されています。そして、病室３１１，３１２、・・・毎の各室内両壁側には２台の送信用機器３２１，３２２が、管理棟３３には１台の受信用機器３４が、夫々に配設さています。
【０２４】
従って、病室３１１、３１２、３１３、・・・毎における患者３５達の挙動情報は、該病室３１内に備えた送信用機器３２１および／又は送信用機器３２２の出力信号となして送信され、該送信情報を管理室３４に備える受信用機器３５が入力信号となして受信し、患者３６達のリアルタイムな動画と音声を管理室３４に居るスタッフ達が確認できます。当然ながら、実施例２同様の患者３６達／又は患者３５個人との対面方式での情報交換を相互に行う事も出来ます。
【０２５】
さらに、該病棟施設３０内におけるイントラネット通信網を拡大してインターネット手段３７の通信機能を広範囲に利用する場合は、前記病室３１内で死を迎える老夫を孤島に居る老婆がリアルタイムな状況のもとでその最期を看取ることも可能になります。
【０２６】
叙述した何れの実施例においても、録画機能および録音機能を活用し、先行させビデオ撮りを済ませて置く事が可能です。従って、時間的な余裕の出来た時に、所望情報を再現しながらの受信も可能です。更に、送信用機器および／又は受信用機器にテレビ機能を備え、民放などのテレビ放送を受信する事も可能です。
【発明の効果】
本発明は、叙述したインターネット手段に関連づけられたネットワークシステムで構成されている特徴から、簡単且つ安価な広域情報網の短期間構築を可能にします。しかも、別離状態で集団生活をしている各人の挙動に関連づけた各種情報がリアルタイムに遠隔地家庭の家族毎へ画像および音声などの情報として送信でき、或は対面方式での情報交換ができ、まさにバーチャル家族の実現を可能に成した優れた提案です。さらに、モバイル化された送信用機器を用いると共にモバイル化された受信用端末機器を用いる場合は、バーチャル家族の実現が一層顕著と成る著効を奏します。そして少子高齢化時代並びにキャリヤウマン時代に適した家族の心を癒す手段としても著効を奏します。
【図面の簡単な説明】
【図１】児童保育園における実施図
【図２】高齢者福祉施設における実施図
【図３】病院の病棟施設における実施図
【図４】ホームページのイメージ図
【符号の説明】
１０  ‥‥‥‥‥  施設
１１  ‥‥‥‥‥  広場
１２  ‥‥‥‥‥  部屋（１２１，１２２、・・・）
ＡＦ  ‥‥‥‥‥  保育士の部屋
ＡＫ  ‥‥‥‥‥  保護者
ＡＭ  ‥‥‥‥‥  保育士
１３  ‥‥‥‥‥  送信用機器（ア、イ、ウ、・・・）
１４  ‥‥‥‥‥  スイッチングハブ
１５  ‥‥‥‥‥  受信用機器（１５１，１５２、・・・）
１６  ‥‥‥‥‥  ルータ
１７  ‥‥‥‥‥  モデム
１８  ‥‥‥‥‥  インターネット手段
１９  ‥‥‥‥‥  児童
２０  ‥‥‥‥‥  福祉施設
２１  ‥‥‥‥‥  部屋（２１１、２１２、・・・）
２ア  ‥‥‥‥‥  ステージ（送信用機器２２２、２２３、・・・）
２イ  ‥‥‥‥‥  ホール  （送信用機器２２６、２２７、・・・）
２Ｒ  ‥‥‥‥‥  管理室  （受信用機器２７１）
２Ｓ  ‥‥‥‥‥  楽屋    （受信用機器２７２）
２２  ‥‥‥‥‥  送信用機器（２２０、２２１、・・・）
２３  ‥‥‥‥‥  スイッチングハブ
２４  ‥‥‥‥‥  ルータ
２５  ‥‥‥‥‥  モデム
２６  ‥‥‥‥‥  インターネット手段
２７  ‥‥‥‥‥  受信用機器（２７１、２７２、・・・）
２８  ‥‥‥‥‥  役者
２９  ‥‥‥‥‥  高齢者
３０  ‥‥‥‥‥  病棟施設
３１  ‥‥‥‥‥  病室（３１１、３１２、３１３、・・・）
３２  ‥‥‥‥‥  送信用機器（３２０，３２１）
３３  ‥‥‥‥‥  廊下
３４  ‥‥‥‥‥  管理棟
３５  ‥‥‥‥‥  受信用機器
３６  ‥‥‥‥‥  患者
３７  ‥‥‥‥‥  インターネット手段
【図１】
2004312644.tif 000003
【図２】
2004312644.tif 000004
【図３】
2004312644.tif 000005
【図４】
2004312644.tif 000006